(57)【特許請求の範囲】
【請求項１】
包材と、該包材内に収容された液体試薬内蔵型マイクロチップとを含み、
前記液体試薬内蔵型マイクロチップは、内部に形成された空間からなる流体回路を備えており、遠心力の印加により前記流体回路内に存在する液体を前記流体回路内の所望の位置に移動させるマイクロチップであり、
前記流体回路は、液体試薬を収容する試薬保持部を含み、
前記液体試薬内蔵型マイクロチップは、マイクロチップ外表面に設けられた溝からなり、前記試薬保持部に連結される、前記試薬保持部内に空気を導入するための空気導入路と、マイクロチップからの脱離が可能に設けられた、前記空気導入路を封止する封止手段と、を備え、
前記流体回路は、液体試薬を収容する２つ以上の試薬保持部を含み、
前記空気導入路は、それぞれの試薬保持部に連結される２本以上の第１路からなり、
前記封止手段は、前記空気導入路を覆うように前記マイクロチップ外表面上に積層される封止層であり、
前記封止層は、前記２本以上の第１路の端部上に積層されている部分を切り取り可能なように切れ込みを有しており、
前記封止層における前記２本以上の第１路の端部上に積層されている前記部分と、前記包材とが結合されている包材入り液体試薬内蔵型マイクロチップ。
【請求項２】
包材と、該包材内に収容された液体試薬内蔵型マイクロチップとを含み、
前記液体試薬内蔵型マイクロチップは、内部に形成された空間からなる流体回路を備えており、遠心力の印加により前記流体回路内に存在する液体を前記流体回路内の所望の位置に移動させるマイクロチップであり、
前記流体回路は、液体試薬を収容する試薬保持部を含み、
前記液体試薬内蔵型マイクロチップは、マイクロチップ外表面に設けられた溝からなり、前記試薬保持部に連結される、前記試薬保持部内に空気を導入するための空気導入路と、マイクロチップからの脱離が可能に設けられた、前記空気導入路を封止する封止手段と、を備え、
前記流体回路は、液体試薬を収容する２つ以上の試薬保持部を含み、
前記空気導入路は、それぞれの試薬保持部に連結される２本以上の第１路と、該２本以上の第１路のすべてに接続されるように延びる１本の第２路とからなり、
前記封止手段は、前記空気導入路を覆うように前記マイクロチップ外表面上に積層される封止層であり、
前記封止層は、前記第２路の端部上に積層されている部分を切り取り可能なように切れ込みを有しており、
前記封止層における前記第２路の端部上に積層されている前記部分と、前記包材とが結合されている包材入り液体試薬内蔵型マイクロチップ。
【請求項３】
包材と、該包材内に収容された液体試薬内蔵型マイクロチップとを含み、
前記液体試薬内蔵型マイクロチップは、内部に形成された空間からなる流体回路を備えており、遠心力の印加により前記流体回路内に存在する液体を前記流体回路内の所望の位置に移動させるマイクロチップであり、
前記流体回路は、液体試薬を収容する試薬保持部を含み、
前記液体試薬内蔵型マイクロチップは、マイクロチップ外表面に設けられた溝からなり、前記試薬保持部に連結される、前記試薬保持部内に空気を導入するための空気導入路と、マイクロチップからの脱離が可能に設けられた、前記空気導入路を封止する封止手段と、を備え、
前記封止手段は、前記空気導入路を覆うように前記マイクロチップ外表面上に積層される封止層であり、
前記封止層の一部が、前記包材の一部からなる包材入り液体試薬内蔵型マイクロチップ。
【請求項４】
請求項１に記載の包材入り液体試薬内蔵型マイクロチップの使用方法であって、前記包材の開封により前記２本以上の第１路の端部上に積層されている部分を切り取って、前記試薬保持部とマイクロチップ外部とを前記空気導入路を介して連通させる包材入り液体試薬内蔵型マイクロチップの使用方法。
【請求項５】
請求項２に記載の包材入り液体試薬内蔵型マイクロチップの使用方法であって、前記包材の開封により前記第２路の端部上に積層されている部分を切り取って、前記試薬保持部とマイクロチップ外部とを前記空気導入路を介して連通させる包材入り液体試薬内蔵型マイクロチップの使用方法。
【請求項６】
請求項３に記載の包材入り液体試薬内蔵型マイクロチップの使用方法であって、前記包材の開封により前記包材の前記一部を前記マイクロチップ外表面から剥離して、前記試薬保持部とマイクロチップ外部とを前記空気導入路を介して連通させる包材入り液体試薬内蔵型マイクロチップの使用方法。
【発明の詳細な説明】
【技術分野】
【０００１】
本発明は、ＤＮＡ、タンパク質、細胞、免疫もしくは血液等の生化学検査、化学合成または環境分析などに好適に使用されるμ−ＴＡＳ（Ｍｉｃｒｏ  Ｔｏｔａｌ  Ａｎａｌｙｓｉｓ  Ｓｙｓｔｅｍ）などとして有用なマイクロチップに関し、特には、検査または分析等の対象となる検体等と混合または反応させるための液体試薬を、あらかじめマイクロチップ内の試薬保持部に内蔵している液体試薬内蔵型マイクロチップに関する。
【背景技術】
【０００２】
近年、医療や健康、食品、創薬などの分野で、ＤＮＡ、酵素、抗原、抗体、タンパク質、ウィルスもしくは細胞などの生体物質、または化学物質を検知、検出あるいは定量する重要性が増してきており、それらを簡便に測定できる様々なバイオチップおよびマイクロ化学チップ（以下、これらを総称してマイクロチップと称する。）が提案されている。
【０００３】
マイクロチップは、実験室で従来行なっている一連の検査・分析操作を、小さなチップ内で行なえることから、検体および液体試薬が微量で済み、コストが低く、反応速度が速く、ハイスループットな検査・分析ができ、検体を採取した現場で直ちに検査・分析結果を得ることができるなど多くの利点を有している。
【０００４】
マイクロチップとしては、流体回路（あるいはマイクロ流体回路）と呼ばれる、該回路内に存在する検体や液体試薬等の液体に対して特定の処理を行なうための複数種類の部位（室）とこれらの部位を適切に接続する微細な流路とから構成される流路網をその内部に備えたものが従来公知である（たとえば特許文献１）。このような流体回路を内部に備えるマイクロチップを用いた検体の検査または分析などにおいては、その流体回路を利用して、流体回路内に導入された検体（または検体中の特定成分）やこれと混合される液体試薬の計量（すなわち、計量を行なうための部位である計量部への移動）、検体（または検体中の特定成分）と液体試薬との混合（すなわち、これらを混合するための部位である混合部への移動）、ある部位から他の部位への移動などの種々の処理が行なわれる。
【０００５】
なお、マイクロチップ内でなされる、各種液体（検体、検体中の特定成分、液体試薬、またはこれらのうちの２種以上の混合物など）に対してなされる処理を、以下では「流体処理」ともいう。これら種々の流体処理は、マイクロチップに対して、適切な方向の遠心力を印加することにより行なうことができる。
【０００６】
上記マイクロチップのうち、液体試薬内蔵型マイクロチップは、検体または検体中の特定成分と混合あるいは反応させるための液体試薬を流体回路内にあらかじめ保持しているマイクロチップであり、その流体回路には、液体試薬を収容する１または複数の試薬保持部が設けられる。液体試薬内蔵型マイクロチップには、通常、その一方の表面に、試薬保持部内に液体試薬を注入するための、試薬保持部まで貫通する試薬注入口が設けられる。
【先行技術文献】
【特許文献】
【０００７】
【特許文献１】特開２００７−２８５７９２号公報
【発明の概要】
【発明が解決しようとする課題】
【０００８】
液体試薬内蔵型マイクロチップにおいては、マイクロチップに対して所定方向の遠心力を印加することにより試薬保持部に連結された試薬排出路から液体試薬を排出させ、これを、たとえば計量部に導入して液体試薬の計量を行なうなどの一連の流体処理に供する。しかし、従来の液体試薬内蔵型マイクロチップにおいては、遠心力を印加したとき、液体試薬の排出に伴って試薬保持部の内圧が低下してしまい（減圧状態になってしまい）、試薬保持部から液体試薬が良好に排出されないという問題があった。このような液体試薬の不十分な排出は、正確かつ信頼性の高い検査・分析を阻害し得る。
【０００９】
一方、遠心力印加時における液体試薬の排出性を改善するために、試薬排出路の断面積（内径）を大きくすると、液体試薬内蔵型マイクロチップ製造後使用時までの間（保管時、輸送時など）に、環境温度の変化や外気圧変化に伴う試薬保持部の内圧上昇により、液体試薬が容易に試薬保持部から流出してしまうという問題がある。このような液体試薬の意図しない流出もまた、正確かつ信頼性の高い検査・分析を阻害し得る。
【００１０】
そこで本発明は、マイクロチップ製造後使用時までの間における意図しない液体試薬の流出を効果的に防止できる一方で、遠心力印加時（すなわちマイクロチップ使用時）には、液体試薬を試薬保持部から良好に排出させることができる液体試薬内蔵型マイクロチップおよび包材入り液体試薬内蔵型マイクロチップを提供することを目的とする。
【課題を解決するための手段】
【００１１】
本発明は、内部に形成された空間からなる流体回路を備えており、遠心力の印加により流体回路内に存在する液体を流体回路内の所望の位置に移動させるマイクロチップであって、流体回路が液体試薬を収容する試薬保持部を含む液体試薬内蔵型マイクロチップに関する。本発明の液体試薬内蔵型マイクロチップは、マイクロチップ外表面に設けられた溝からなり、試薬保持部に連結される、試薬保持部内に空気を導入するための空気導入路と、マイクロチップからの脱離が可能に設けられた、空気導入路を封止する封止手段とを備えることを特徴とする。
【００１２】
封止手段は、たとえば、空気導入路を覆うようにマイクロチップ外表面上に積層される封止層であることができる。
【００１３】
１つの好ましい実施形態において、流体回路は液体試薬を収容する２つ以上の試薬保持部を含み、空気導入路は、それぞれの試薬保持部に連結される２本以上の第１路からなる。この実施形態においては、封止手段が空気導入路を覆うようにマイクロチップ外表面上に積層される封止層である場合、該封止層は、２本以上の第１路の端部上に積層されている部分を切り取り可能なように切れ込みを有していることが好ましい。
【００１４】
別の好ましい実施形態において、流体回路は液体試薬を収容する２つ以上の試薬保持部を含み、空気導入路は、それぞれの試薬保持部に連結される２本以上の第１路と、該２本以上の第１路のすべてに接続されるように延びる１本の第２路とからなる。この実施形態においては、封止手段が空気導入路を覆うようにマイクロチップ外表面上に積層される封止層である場合、該封止層は、第２路の端部上に積層されている部分を切り取り可能なように切れ込みを有していることが好ましい。
【００１５】
また本発明は、上記液体試薬内蔵型マイクロチップの使用方法であって、封止手段の少なくとも一部をマイクロチップから脱離させることにより、試薬保持部とマイクロチップ外部とを空気導入路を介して連通させる液体試薬内蔵型マイクロチップの使用方法を提供する。
【００１６】
さらに本発明は、包材と該包材内に収容された上記液体試薬内蔵型マイクロチップとを含む包材入り液体試薬内蔵型マイクロチップを提供する。本発明の包材入り液体試薬内蔵型マイクロチップにおいては、上述した、封止層における２本以上の第１路の端部上に積層されている部分や第２路の端部上に積層されている部分と、包材とが結合されている。また本発明の包材入り液体試薬内蔵型マイクロチップにおいては、封止層の一部が包材の一部から構成されていてもよい。
【発明の効果】
【００１７】
本発明によれば、マイクロチップ製造後使用時までの間（保管時、輸送時など）における意図しない液体試薬の流出を効果的に防止できるとともに、遠心力印加時（マイクロチップ使用時）には、液体試薬を試薬保持部から良好に排出させることができ、もって正確かつ信頼性の高い検査・分析を行なえる液体試薬内蔵型マイクロチップおよび包材入り液体試薬内蔵型マイクロチップを提供することができる。
【図面の簡単な説明】
【００１８】
【図１】第１の実施形態に係る液体試薬内蔵型マイクロチップを第１の基板側（封止層側）からみたときの上面図である。
【図２】第１の実施形態に係る液体試薬内蔵型マイクロチップを構成する第１の基板の外表面を示す上面図である。
【図３】第１の実施形態に係る液体試薬内蔵型マイクロチップを構成する第２の基板における第１の基板側表面を示す上面図である。
【図４】第１の実施形態に係る液体試薬内蔵型マイクロチップを構成する第２の基板における第３の基板側表面を示す上面図である。
【図５】第１の実施形態に係る液体試薬内蔵型マイクロチップを構成する第３の基板の外表面を示す上面図である。
【図６】第２の実施形態に係る液体試薬内蔵型マイクロチップを第１の基板側（封止層側）からみたときの上面図である。
【図７】第２の実施形態に係る液体試薬内蔵型マイクロチップを構成する第１の基板の外表面を示す上面図である。
【図８】第３の実施形態に係る液体試薬内蔵型マイクロチップを第１の基板側（封止層側）からみたときの上面図である。
【図９】第３の実施形態に係る液体試薬内蔵型マイクロチップにおいて用いられている封止層を示す上面図である。
【図１０】第３の実施形態に係る液体試薬内蔵型マイクロチップにおいて、封止層の上部部分を切れ込みに沿って切り取った状態を示す上面図である。
【図１１】第４の実施形態に係る液体試薬内蔵型マイクロチップを第１の基板側（封止層側）からみたときの上面図である。
【図１２】第４の実施形態に係る液体試薬内蔵型マイクロチップにおいて用いられている封止層を示す上面図である。
【図１３】第４の実施形態に係る液体試薬内蔵型マイクロチップにおいて、封止層の角部分を切れ込みに沿って切り取った状態を示す上面図である。
【図１４】第５の実施形態に係る包材入り液体試薬内蔵型マイクロチップの一例を示す上面図である。
【図１５】第５の実施形態に係る包材入り液体試薬内蔵型マイクロチップの他の一例を示す上面図である。
【図１６】図１５に示される包材入り液体試薬内蔵型マイクロチップにおいて用いられている液体試薬内蔵型マイクロチップを示す上面図である。
【図１７】第５の実施形態に係る包材入り液体試薬内蔵型マイクロチップの他の一例を示す上面図である。
【図１８】第６の実施形態に係る液体試薬内蔵型マイクロチップの一例を示す概略断面図である。
【図１９】第６の実施形態に係る液体試薬内蔵型マイクロチップの他の一例を示す概略断面図である。
【発明を実施するための形態】
【００１９】
＜液体試薬内蔵型マイクロチップの概要＞
本発明の液体試薬内蔵型マイクロチップは、各種化学合成、検査または分析等を、それが内部に有する流体回路（内部に形成された空間）を用いて行なうチップであり、流体回路内の液体（検体、検体中の特定成分、液体試薬、および、これらのうちの２種以上の混合物など）を遠心力の印加により流体回路内の所定の位置（部位）に移動させることにより、該液体に対して適切な流体処理を行なうことができるものである。このために流体回路は、適切な位置に配置された種々の部位（室）を備えており、これらの部位は微細な流路を介して適切に接続されている。
【００２０】
本発明の液体試薬内蔵型マイクロチップにおいて流体回路は、上記部位（室）の１つとして、検査または分析などの対象となる検体と混合（または反応）させるための液体試薬を収容する試薬保持部を有している。この試薬保持部には、後で詳述するように、試薬保持部内に空気を導入するための空気導入路が連結されており、本発明の液体試薬内蔵型マイクロチップは、マイクロチップからの脱離が可能に設けられた、空気導入路を封止する封止手段を備えている。空気導入路は、マイクロチップ外表面に設けられた溝からなる。また試薬保持部には、収容されている液体試薬を排出するための試薬排出路を有している。
【００２１】
液体試薬内蔵型マイクロチップには、通常、その一方の表面に、試薬保持部内に液体試薬を注入するための、試薬保持部まで貫通する貫通口である試薬注入口が設けられる。試薬注入口は、液体試薬の漏出を防止するために、液体試薬が注入された後封止されるが、本発明においては、この封止は、空気導入路を封止する封止手段によって同時に行なうことが可能である。
【００２２】
流体回路は、上記の試薬保持部のほか、流体回路内に導入された検体から特定成分を取り出すための分離部；検体（検体中の特定成分である場合を含む。以下同じ。）を計量するための検体計量部；液体試薬を計量するための試薬計量部；検体と液体試薬とを混合するための混合部；得られた混合液についての検査または分析（たとえば、混合液中の特定成分の検出または定量）を行なうための検出部；廃液（たとえば、計量時に検体計量部や試薬計量部からオーバーフローした検体や液体試薬）を収容する廃液溜め部などを含むことができる。
【００２３】
検査または分析の方法は特に制限されず、たとえば、混合液を収容する検出部に光を照射して透過する光の強度（透過率）を検出する方法、検出部に保持された混合液についての吸収スペクトルを測定する方法等の光学測定を挙げることができる。
【００２４】
本発明の液体試薬内蔵型マイクロチップは、上述の例示された部位（室）のすべてを有していてもよく、いずれか１以上を有していなくてもよい。また、これら例示された部位以外の部位を有していてもよい。各部位の数についても特に制限はなく、１または２以上であることができる。
【００２５】
検体からの特定成分の抽出（不要成分の分離）、検体および液体試薬の計量、検体と液体試薬との混合、得られた混合液の検出部への導入などのような流体回路内における種々の流体処理は、マイクロチップに対して適切な方向の遠心力を順次印加して、対象の液体を所定位置に配置された所定の部位に順次移動させることにより行なうことができる。たとえば、計量部による検体や液体試薬の計量は、所定の容量（計量すべき量と同じ量）を有する計量部へ、遠心力の印加により計量される検体または液体試薬を導入し、過剰分の検体または液体試薬を計量部からオーバーフローさせることにより実施することができる。オーバーフローした検体または液体試薬は、流路を介して計量部に接続された廃液溜め部に収容させることができる。
【００２６】
マイクロチップへの遠心力の印加は、マイクロチップを、遠心力を印加可能な装置（遠心装置）に載置して行なうことができる。遠心装置は、回転自在なローター（回転子）と、該ローター上に配置された回転自在なステージとを備えることができる。該ステージ上にマイクロチップを載置し、該ステージを回転させてローターに対するマイクロチップの角度を任意に設定したうえでローターを回転させることにより、マイクロチップに対して任意の方向の遠心力を印加することができる。
【００２７】
本発明の液体試薬内蔵型マイクロチップは、第１の基板と、該第１の基板上に積層、貼合された第２の基板とから構成することができ、より具体的には、第１の基板上に、表面に溝を備える第２の基板を、当該第２の基板の溝形成側表面が第１の基板に対向するように貼り合わせて構成することができる。かかる２枚の基板からなるマイクロチップは、第２の基板表面に設けられた溝と第１の基板における第２の基板に対向する側の表面とから構成される内部空間からなる流体回路を備える。第２の基板表面に形成される溝の形状およびパターンは、内部空間の構造が、所望される適切な流体回路構造となるように決定される。
【００２８】
また、本発明の液体試薬内蔵型マイクロチップは、第１の基板と、基板の両表面に設けられた溝を備える第２の基板と、第３の基板とをこの順で積層、貼合したものであってもよい。かかる３枚の基板からなるマイクロチップは、第１の基板における第２の基板に対向する側の表面および第２の基板における第１の基板に対向する側の表面に設けられた溝から構成される内部空間からなる第１の流体回路と、第３の基板における第２の基板に対向する側の表面および第２の基板における第３の基板に対向する側の表面に設けられた溝から構成される内部空間からなる第２の流体回路と、の２層の流体回路を備える。ここで、「２層」とは、マイクロチップの厚み方向に関して異なる２つの位置に流体回路が設けられていることを意味する。かかる２層の流体回路は、第２の基板を厚み方向に貫通する貫通穴によって接続することができる。
【００２９】
基板同士を貼り合わせる方法としては、特に限定されるものではなく、たとえば貼り合わせる基板のうち、少なくとも一方の基板の貼り合わせ面を融解させて溶着させる方法（溶着法）、接着剤を用いて接着させる方法などを挙げることができる。溶着法としては、基板を加熱して溶着させる方法；レーザー等の光を照射して、光吸収時に発生する熱により溶着する方法（レーザー溶着）；超音波を用いて溶着する方法などを挙げることができる。なかでもレーザー溶着法が好ましく用いられる。
【００３０】
本発明の液体試薬内蔵型マイクロチップの大きさは、特に限定されず、たとえば縦横数ｃｍ程度、厚さ数ｍｍ〜１ｃｍ程度とすることができる。
【００３１】
本発明の液体試薬内蔵型マイクロチップを構成する上記各基板の材質は、特に制限されず、たとえば、ポリエチレンテレフタレート（ＰＥＴ）、ポリブチレンテレフタレート（ＰＢＴ）、ポリメチルメタクリレート（ＰＭＭＡ）、ポリカーボネート（ＰＣ）、ポリスチレン（ＰＳ）、ポリプロピレン（ＰＰ）、ポリエチレン（ＰＥ）、ポリエチレンナフタレート（ＰＥＮ）、ポリアリレート樹脂（ＰＡＲ）、アクリロニトリル・ブタジエン・スチレン樹脂（ＡＢＳ）、塩化ビニル樹脂（ＰＶＣ）、ポリメチルペンテン樹脂（ＰＭＰ）、ポリブタジエン樹脂（ＰＢＤ）、生分解性ポリマー（ＢＰ）、シクロオレフィンポリマー（ＣＯＰ）、ポリジメチルシロキサン（ＰＤＭＳ）などの熱可塑性樹脂を用いることができる。
【００３２】
マイクロチップが第１の基板と、基板表面に溝を備える第２の基板とから構成される場合、第２の基板は、検出光を利用する光学測定のための検出部を構築するために、透明基板とすることが好ましい。第１の基板は、透明基板であっても不透明基板であってもよいが、レーザー溶着を行なう場合には、光吸収率を増大できることから、不透明基板とすることが好ましく、基板を樹脂から構成し、該樹脂中にカーボンブラック等の黒色顔料を添加することにより黒色基板とすることがより好ましい。
【００３３】
マイクロチップが第１の基板と、基板の両表面に溝を備える第２の基板と、第３の基板とから構成される場合、レーザー溶着の効率性の観点から、第２の基板を不透明基板とすることが好ましく、黒色基板とすることがより好ましい。一方、第１および第３の基板は、検出光を利用する光学測定のための検出部を構築するために、透明基板とすることが好ましい。第１および第３の基板を透明基板とすると、第２の基板に設けられた貫通穴と、透明な第１および第３の基板とから光学測定のための検出部を形成でき、マイクロチップ表面と略垂直な方向から該検出部に検出光を照射して、透過する光の強度（透過率）を検出するなどの光学測定を行なうことが可能となる。
【００３４】
第２の基板表面に、流体回路を構成する溝（パターン溝）を形成する方法としては、特に制限されず、転写構造を有する金型を用いた射出成形法、インプリント法などを挙げることができる。無機材料を用いて基板を形成する場合には、エッチング法などを用いることができる。溝の形状は適切な流体回路構造となるように決定される。
【００３５】
なお、第２の基板以外の基板（第１および／または第３の基板）にも、流体回路を構成する溝や、外側表面に形成される溝や凹部（空気導入路以外のもの）、貫通穴などを適宜設けることができる。
【００３６】
以下、実施の形態を示して、本発明の液体試薬内蔵型マイクロチップおよび包材入り液体試薬内蔵型マイクロチップについてより詳細に説明する。
【００３７】
＜第１の実施形態＞
本実施形態に係る液体試薬内蔵型マイクロチップおよびこれを構成する基板の例を図１〜図５に示す。これらの図面によって示される液体試薬内蔵型マイクロチップ１００は、透明基板である第１の基板１、流体回路を形成する溝を両表面に有する黒色基板である第２の基板２、および、透明基板である第３の基板３をこの順で積層、貼合してなるマイクロチップ本体１００ａと、第１の基板１の外表面に積層された上記封止手段としての封止層１００ｂとから構成されている。
【００３８】
図１は、液体試薬内蔵型マイクロチップ１００を第１の基板１側（封止層１００ｂ側）からみたときの上面図である。図２は、液体試薬内蔵型マイクロチップ１００（マイクロチップ本体１００ａ）を構成する第１の基板１の外表面（第２の基板２側とは反対側の表面）を示す上面図であり、すなわち、液体試薬内蔵型マイクロチップ１００から封止層１０１ｂを剥がしたときの、第１の基板１の外表面を示す上面図である。
【００３９】
図３は、第２の基板２における第１の基板１側表面を示す上面図であり、図４は、第２の基板２における第３の基板３側表面を示す上面図である。図５は、第３の基板３の外表面（第２の基板２側とは反対側の表面）を示す上面図である。なお、図１、２および５において点線は、その点線で囲まれた領域が凹部を構成していることを意味している。
【００４０】
まず第１の基板１について説明すると、図２を参照して、第１の基板１には試薬注入口１０３ａを含む、合計１１個の試薬注入口が設けられている。これらの試薬注入口は、第１の基板１を厚み方向に貫通する貫通穴であり、流体回路に含まれる１１個の試薬保持部のそれぞれの直上に設けられ、これらにそれぞれ繋がっている。
【００４１】
各試薬注入口からは、第１の基板１の外表面（マイクロチップ外表面）に設けられた溝からなる、試薬保持部内に空気を導入するための空気導入路（合計１１本、試薬保持部と同じ数）が延びている。たとえば試薬注入口１０３ａからは空気導入路１０１ａが延びており、その端部は空気導入用凹部１０２ａに接続されている。空気導入用凹部１０２ａは、第１の基板１の外表面に設けられた凹部であり、空気導入路１０１ａと連通している。空気導入路１０１ａは、試薬注入口１０３ａを介して試薬保持部２０１ａ（図３参照）と連結されている（他の空気導入路についても同様）。各試薬注入口から延びる空気導入路はそれらの長さが調整されて、それらの端部（したがって各空気導入用凹部）が略一列に並ぶようにされている。本実施形態において空気導入路は、各試薬注入口から延びる第１路のみから構成されている。第１路とは、試薬注入口などの貫通穴を介して直接、試薬保持部と連結されている溝を意味する。
【００４２】
また、第１の基板１には、検体（たとえば全血）を流体回路内に導入するための、第１の基板１を厚み方向に貫通する貫通穴である検体導入口１０５が設けられている。液体試薬を試薬注入口から注入した後、第１の基板１の外表面に封止層１００ｂを積層することにより、空気導入路および空気導入用凹部のすべてを覆って封止するとともに（ただし、後述するように空気導入用凹部は省略されてもよい）、すべての試薬注入口を封止して、本実施形態の液体試薬内蔵型マイクロチップ１００が得られる（図１参照）。
【００４３】
封止層１０１ｂは、第１の基板１上の空気導入路、空気導入用凹部および試薬注入口のすべてを覆うことができる大きさおよび形状を有するものであって、マイクロチップ使用時にマイクロチップ本体１００ａ（第１の基板１）から剥離可能なものである。具体的には、一方の面に粘着剤層を有するプラスチックフィルム（ラベル、シール等）などであることができる。
【００４４】
次に、本実施形態の液体試薬内蔵型マイクロチップ１００の流体回路について説明すると、図３および図４を参照して、第２の基板２は、その両面に形成された溝および厚み方向に貫通する複数の貫通穴を有しており、これに第１の基板１および第３の基板３を貼り合わせることによって、マイクロチップ内部に２層の流体回路が形成されている。なお、以下では、第１の基板１における第２の基板２側表面および第２の基板２における第１の基板１側表面に設けられた溝から構成される流体回路を「第１の流体回路」、第３の基板３における第２の基板２側表面および第２の基板２における第３の基板３側表面に設けられた溝から構成される流体回路を「第２の流体回路」と称する。これら２つの流体回路は、第２の基板２に形成された厚み方向に貫通するいくつかの貫通穴によって連結している。
【００４５】
図３から第１の流体回路の構造を、図４から第２の流体回路の構造を把握することができる。本実施形態の液体試薬内蔵型マイクロチップ１００は、１つの検体について６項目の検査・分析を行なうことができる多項目チップであり、その流体回路は、６項目の検査・分析を行なうことができるよう、６つのセクション〔図３（第１の流体回路）におけるセクション１〜６。図４（第２の流体回路）においても同様。〕に分けられている。ただし、検体計量部設置領域（図４に示される第２の流体回路の上部領域）においてこれらは互いに接続されている。
【００４６】
上記各セクションは、およそ同様の構成を有しており、流体処理も同様であるため、以下では、主に「セクション４」を採り上げて説明する。
【００４７】
セクション４には、第１の流体回路内において、液体試薬が内蔵された試薬保持部が２つ設けられている（図３における試薬保持部２０１ａ、２１１ａ）。上記のように各試薬保持部には、第１の基板１を厚み方向に貫通する貫通穴である試薬注入口が設けられている（図２における試薬注入口１０３ａとその下の試薬注入口）。また、各試薬保持部の下端には、試薬保持部内の液体試薬を排出するための試薬排出路２０２ａ、２１２ａがそれぞれ連結されている（図３参照）。試薬排出路２０２ａ、２１２ａは、第２の基板２の厚み方向に延びる貫通穴であり、裏側の第２の流体回路に繋がっている。図３における下向きの遠心力により試薬保持部２０１ａ、２１１ａから排出された液体試薬は、第２の流体回路内の試薬計量部３０１ａ、３１１ａにそれぞれ導入され、計量される（図４参照）。
【００４８】
セクション４には、第２の流体回路内において、検体中の特定成分を計量するための検体計量部４０１が設けられている。このような検体計量部は各セクションに設けられており、これらの検体計量部は、流路によって直列的に接続されている（図４参照）。
【００４９】
また、本実施形態の液体試薬内蔵型マイクロチップ１００は、マイクロチップ内に導入された検体から特定成分（液体試薬と混合される成分）を取り出す（たとえば全血から血球成分を分離し、血漿成分を取り出す）ための分離部５０１を備えている（図４参照）。分離操作は遠心分離によりなされる。
【００５０】
検体導入口１０５から導入された検体は、分離部５０１にて特定成分が取り出された後、各セクションに分配されるとともに検体計量部（たとえばセクション４においては検体計量部４０１）にて計量されると、別途計量された各セクション内の１種または２種の液体試薬と混合されて、それぞれ検出部（たとえばセクション４においては検出部６５１）に導入される（図３および図４参照）。検出部に導入された混合液は、たとえば、マイクロチップ表面と略垂直な方向から検出部に検出光を照射し、その透過光の透過率を測定する等の光学測定に供され、該混合液中の特定成分の検出等がなされる。
【００５１】
本実施形態の液体試薬内蔵型マイクロチップ１００によれば、マイクロチップ製造後使用時までの間における意図しない液体試薬の流出を効果的に防止できる一方で、遠心力印加時（マイクロチップ使用時）には、液体試薬を試薬保持部から良好に排出させることができる。すなわち、マイクロチップ製造後使用時までの間（保管時、輸送時など）においては、試薬保持部内に空気を導入する役割を果たす空気導入路および空気導入用凹部のすべてが封止層１００ｂによって封止されているため、試薬排出路からの液体試薬の排出が効果的に防止されている（液体試薬の排出は、試薬保持部の内圧低下を伴うため、排出されにくい状態となっている）。
【００５２】
一方、封止層１００ｂは剥離可能な層であるので、マイクロチップ使用時に封止層１００ｂの少なくとも一部、具体的には各第１路の端部上に積層されている部分を剥がし、空気導入路および／または空気導入用凹部を開放することにより、試薬保持部とマイクロチップ外部とが空気導入路を介して連通され、試薬保持部内に空気を導入することが可能になる。これにより、液体試薬を試薬排出路から排出させるための所定方向の遠心力を印加したとき、液体試薬の排出に伴って空気導入路から空気が補充され、試薬保持部の内圧低下が生じないため、マイクロチップ製造後使用時までの間（保管時、輸送時など）における意図しない試薬排出路からの液体試薬の流出を防止するために試薬排出路の断面積を十分小さくしても、良好に（スムーズに）液体試薬を排出させることができる。
【００５３】
空気導入路１０１ａ（他の空気導入路についても同様）の断面形状は特に制限されず、長方形、正方形、半円形などであることができる。溝幅はたとえば５０〜１０００μｍであることができる。なお、液体試薬内蔵型マイクロチップ１００において空気導入路の一端は試薬注入口に接続されているが、これに限定されるものではない。試薬注入口とは異なる、第１の基板１を厚み方向に貫通する貫通穴を別途設け、これに接続するようにしてもよい。
【００５４】
液体試薬内蔵型マイクロチップ１００においては、空気導入路の端部（試薬保持部とは反対側の端部）に空気導入用凹部を接続するようにしているが（たとえば、空気導入路１０１ａについては空気導入用凹部１０２ａ）、空気導入用凹部を有していなくてもよい。  
【００５５】
マイクロチップ製造後使用時までの間における意図しない試薬排出路からの液体試薬の流出を防止するために、試薬排出路の断面積は１００〜５００，０００μｍ2とすることが好ましく、１００〜１０，０００μｍ2とすることがより好ましい。
【００５６】
「セクション４」を主に採り上げて、本実施形態の液体試薬内蔵型マイクロチップ１００による検体（例として全血を採り上げる）の検査・分析方法（流体処理操作）を説明すると次のとおりである。以下の流体処理操作は、封止層１００ｂの少なくとも一部を剥がし、すべての空気導入用凹部（あるいはさらにそれぞれの空気導入路の少なくとも一部。空気導入用凹部を有しない場合は、それぞれの空気導入路の少なくとも一部。）をマイクロチップ外部に対して開放した後（すなわち、試薬保持部とマイクロチップ外部とを空気導入路を介して連通させた後）に行なう。
【００５７】
（１）全血導入、液体試薬計量工程
第１の基板１の検体導入口１０５から全血を導入し、ついで図３における略下向きに遠心力を印加する。これにより全血は、領域１０を通って収容部８５１に導入される（図３参照）。また、この略下向きの遠心力印加により、試薬保持部２０１ａ、２１１ａ内の液体試薬は、それぞれ試薬排出路２０２ａ、２１２ａを通って試薬計量部３０１ａ、３１１ａに至り、計量される（図４参照）。各試薬計量部から溢れた液体試薬は、それぞれ貫通穴２０、３０を通って、廃液溜め部７０１、７１０に収容される（図３参照）。
【００５８】
当該工程に関し、液体試薬として着色水溶液を用いて液体試薬の排出性を確認したところ、上記略下向きの遠心力（３０００ｒｐｍ、１５秒）の印加により、すべての試薬保持部から良好に液体試薬の全量が試薬排出路から排出され、試薬計量部に導入されていることが確認された。
【００５９】
（２）遠心分離工程
次に、図３における略左向きに遠心力を印加した後、略下向きに遠心力を印加して、収容部８５１内の全血を、貫通穴４０を通して分離部５０１に導入する（図４参照）。そして引き続き略下向きに遠心力を印加することにより分離部５０１にて遠心分離を行ない、血漿成分（上層）と血球成分（下層）とに分離する。
【００６０】
（３）検体計量工程
次に、図４における略右向きの遠心力を印加する。これにより、分離部５０１において分離された血漿成分は、検体計量部４０１に導入され（同時に他の５つの検体計量部にも導入される）、計量される（図４参照）。検体計量部から溢れた血漿成分は、貫通穴５０を通って第１の流体回路に移動する（図３参照）。この略右向きの遠心力により、試薬計量部３０１ａ内の液体試薬は、混合部９００に移動し、試薬計量部３１１ａ内の液体試薬は、領域１１に移動する。
【００６１】
（４）第１混合工程
次に、図４における略下向きの遠心力を印加する。これにより、計量された液体試薬（試薬保持部２０１ａに保持されていた液体試薬）と、検体計量部４０１にて計量された血漿成分とが、試薬計量部３０１ａにおいて混合される（第１混合工程第１ステップ、図４参照）。次に、図４における略右向きの遠心力を印加することにより、混合液は、混合部９００に残存していた液体試薬とさらに混合される（第１混合工程第２ステップ、図４参照）。これら第１ステップおよび第２ステップを必要に応じて複数回行ない、確実に混合を行なう。
【００６２】
（５）第２混合工程
次に、図４における略上向きの遠心力を印加する。これにより、混合部９００内の混合液は、貫通穴６０を通って混合部９１０に至り、計量されたもう一方の液体試薬（試薬保持部２１１ａ内に保持されていた液体試薬）もまた、貫通穴６０を通って混合部９１０に至り、これらが混合される（第２混合工程第１ステップ、図３および図４参照）。次に、図３における略右向きの遠心力を印加することにより、混合液を混合部９１０内で移動させ、混合を促進させる（第２混合工程第２ステップ、図３参照）。これら第１ステップおよび第２ステップを必要に応じて複数回行ない、確実に混合を行なう。
【００６３】
（６）検出部導入工程
最後に、図３における略下向きの遠心力を印加する。これにより、混合部９１０内の混合液は検出部６５１に導入される。検出部６５１に充填された混合液は、光学測定に供され、検体（血漿成分）の検査・分析が行なわれる。たとえば、マイクロチップ表面に対して略垂直な方向から光を照射し、その透過光を測定することにより、混合液中の特定成分の検出等がなされる。他の検出部に導入された混合液についても同様である。
【００６４】
＜第２の実施形態＞
図６は、本実施形態に係る液体試薬内蔵型マイクロチップ６００を第１の基板１’側（封止層６００ｂ側）からみたときの上面図である。図７は、図６に示される液体試薬内蔵型マイクロチップ６００（マイクロチップ本体６００ａ）を構成する第１の基板１’の外表面（第２の基板側とは反対側の表面）を示す上面図である。本実施形態の液体試薬内蔵型マイクロチップ６００は、図７に示されるような空気導入路を有するマイクロチップ本体６００ａを用いたことを特徴としており、マイクロチップ本体６００ａのこれ以外の構成は第１の実施形態のマイクロチップ本体１００ａと同じであってよい。封止層６００ｂも第１の実施形態の封止層１００ｂと同じであってよい。
【００６５】
図７を参照して、本実施形態において空気導入路６０１ａは、上記定義に従う、各試薬注入口（たとえば試薬注入口１０３ａ）から延びる第１路６０１ａ−１（合計１１本、試薬保持部と同じ数）と、すべての第１路６０１ａ−１に接続されるように延びる１本の第２路６０１ａ−２とからなる。第２路６０１ａ−２の端部は空気導入用凹部６０２ａに接続されている。すなわち本実施形態では、各試薬注入口から延びる第１路６０１ａ−１が第２路６０１ａ−２によって集約され、空気導入路６０１ａの端部が１つのみであり、これに接続される空気導入用凹部６０２ａも１つのみである。
【００６６】
このように試薬保持部を複数有する場合であっても、空気導入路の端部を１つに集約することで、当該端部上に積層されている部分のみ封止層を剥離すれば、すべての試薬保持部をマイクロチップ外部と連通させることができるため、封止層の剥離操作を簡便に行なうことができる。
【００６７】
＜第３の実施形態＞
図８は、本実施形態に係る液体試薬内蔵型マイクロチップ８００を第１の基板側（封止層８００ｂ側）からみたときの上面図である。図９は、図８に示される液体試薬内蔵型マイクロチップ８００において用いられている封止層８００ｂを示す上面図である。本実施形態の液体試薬内蔵型マイクロチップ８００は、図９に示されるような、その上部に直線状に配列された切れ込み８０１ｂを有する封止層８００ｂを用いたことを特徴としており、マイクロチップ本体は第１の実施形態のマイクロチップ本体１００ａと同じである。
【００６８】
マイクロチップ本体１００ａにおいて各空気導入路（第１路）の端部（および各空気導入用凹部）は、マイクロチップ本体１００ａの上部にて略一列に配列されている。したがって、切れ込み８０１ｂを有し、封止層の上部部分を容易に脱離させる（切り取る）ことができる封止層８００ｂを適用することで、図１０に示されるように、簡単に、すべての空気導入路の端部（およびすべての空気導入用凹部）上に積層されている部分の封止層を剥離でき、すべての空気導入路（およびすべての空気導入用凹部）をマイクロチップ外部に対して開放させることができるため、封止層の剥離操作がより簡便となる。
【００６９】
＜第４の実施形態＞
図１１は、本実施形態に係る液体試薬内蔵型マイクロチップ１１００を第１の基板側（封止層１１００ｂ側）からみたときの上面図である。図１２は、図１１に示される液体試薬内蔵型マイクロチップ１１００において用いられている封止層１１００ｂを示す上面図である。本実施形態の液体試薬内蔵型マイクロチップ１１００は、図１２に示されるような、その上部における角部にＬ字状の切れ込み１１０１ｂを有する封止層１１００ｂを用いたことを特徴としており、マイクロチップ本体は第２の実施形態のマイクロチップ本体６００ａと同じである。
【００７０】
マイクロチップ本体６００ａにおいて各空気導入路の第２路の端部（および各空気導入用凹部）は、マイクロチップ本体１００ａの上部の角部近傍にて１つのみ配置されている。したがって、切れ込み１１０１ｂを有し、封止層の角部分を容易に脱離させる（切り取る）ことができる封止層１１００ｂを適用することで、図１３に示されるように、簡単に、空気導入路の第２路の端部（および空気導入用凹部）上に積層されている部分の封止層を剥離でき、第２路（および空気導入用凹部）をマイクロチップ外部に対して開放させることができるため、封止層の剥離操作がより簡便となる。
【００７１】
＜第５の実施形態＞
本実施形態は、包材と該包材内に収容された液体試薬内蔵型マイクロチップとを含む包材入り液体試薬内蔵型マイクロチップに関する。液体試薬内蔵型マイクロチップは、試薬保持部に内蔵されている液体試薬の劣化を防止するために、通常、包材内に密封収容して、流通、販売および保管される。上記第１〜第４の実施形態に係る液体試薬内蔵型マイクロチップは、空気導入路および空気導入用凹部をマイクロチップ使用直前まで封止しておく封止手段として第１の基板上に積層される封止層を備え、マイクロチップ使用時においてはその一部を剥離するものであるが、本実施形態の包材入り液体試薬内蔵型マイクロチップは、液体試薬内蔵型マイクロチップが通常、包材内に収容されることに鑑み、この点を利用して封止層の剥離操作の簡便性をさらに向上させたものである。
【００７２】
図１４は、包材入り液体試薬内蔵型マイクロチップの一例を示す上面図である。図１４に示される包材入り液体試薬内蔵型マイクロチップ１４００は、袋状の包材１０００に第３の実施形態に係る液体試薬内蔵型マイクロチップ８００を入れ、包材１０００の開口をヒートシールにより閉じて（ヒートシール部１００１，１００２）、該マイクロチップを密封収容したものである。第３の実施形態に係る液体試薬内蔵型マイクロチップ８００は、上記したように、封止層の上部部分（すべての第１路の端部およびすべての空気導入用凹部上に積層されている部分）を容易に切り取り可能なように切れ込み８０１ｂを有する封止層８００ｂを適用したものである。そして、切り取られることとなる封止層の上部部分と包材とを、粘着剤１４０１を用いて結合させている。
【００７３】
上記のような包材入り液体試薬内蔵型マイクロチップ１４００によれば、包材１０００の開封用切れ込み１００３を起点に包材１０００を開封すると、これと同時に封止層の上部部分が切り取られることとなるので、包材からのマイクロチップの取り出しと封止層の剥離操作とが同時になされ、封止層の剥離操作を別途行なう必要をなくすことができる。
【００７４】
粘着剤１４０１の配置位置は、封止層の上部部分の端部またはその近傍とすることが好ましい。この場合において液体試薬内蔵型マイクロチップ８００は、粘着剤１４０１が包材１０００の開封用切れ込み１００３側に配置されるように、包材１０００内に収容されることが好ましい。
【００７５】
包材１０００内に収容される液体試薬内蔵型マイクロチップは、第３の実施形態に係る液体試薬内蔵型マイクロチップ８００に限定されるものではなく、たとえば第４の実施形態に係る液体試薬内蔵型マイクロチップ１１００であってもよい。この場合、封止層における空気導入路の第２路の端部（および空気導入用凹部）上に積層されている部分（切り取られる部分）と包材１０００とが結合される。
【００７６】
封止層と包材との結合手法は粘着剤を用いた手法に限定されない。たとえば図１５に示される包材入り液体試薬内蔵型マイクロチップ１５００のように、封止層の上部部分（切り取られる部分）に伸長部１６０１ｂを有する封止層１６００ｂを積層した液体試薬内蔵型マイクロチップ１６００（図１６参照）を用いる手法を挙げることができる。封止層１６００ｂの伸長部１６０１ｂと包材１０００とを結合させることにより、上記と同様に、包材１０００の開封用切れ込み１００３を起点に包材１０００を開封すると、これと同時に封止層１６００ｂの上部部分（および伸長部１６０１ｂ）が切り取られる。伸長部１６０１ｂと包材１０００とは、包材１０００の開口を閉じる際に伸長部１６０１ｂの端部Ａを挟み込んでヒートシールすることにより結合させることができる。
【００７７】
図１７は、包材入り液体試薬内蔵型マイクロチップの他の一例を示す上面図である。図１７に示される包材入り液体試薬内蔵型マイクロチップ１７００は、袋状の包材１０００に液体試薬内蔵型マイクロチップ１８００を入れ、包材１０００の開口をヒートシールにより閉じて（ヒートシール部１００１，１００２）、該マイクロチップを密封収容したものである。液体試薬内蔵型マイクロチップ１８００は、その上部における角部に切り欠き部を有する封止層１８００ｂを用いたことを特徴としており、マイクロチップ本体は第２の実施形態のマイクロチップ本体６００ａと同じである。上記切り欠き部は、第４の実施形態に係る封止層１１００ｂにおける切れ込み１１０１ｂによって画された、切り取られることとなる部分に相当する。すなわち封止層１８００ｂは、封止層１１００ｂにおける切り取られることとなる部分をあらかじめ切り取ったものに相当する。
【００７８】
そして本例においては、上記切り欠き部において露出している空気導入路の第２路の端部および空気導入用凹部を含む領域（たとえば図示される領域Ｂ）と包材１０００とが直接結合され、当該空気導入路の第２路の端部および空気導入用凹部が封止されている。このように本例では、封止手段としての封止層の一部が包材１０００の一部から構成されていることを特徴とする。マイクロチップ本体６００ａ（上記領域）と包材１０００との結合はたとえばヒートシールにより行なうことができる。
【００７９】
本例の包材入り液体試薬内蔵型マイクロチップ１７００によっても、包材１０００の開封用切れ込み１００３を起点に包材１０００を開封すると、これと同時に空気導入路の第２路の端部および空気導入用凹部を含む領域をマイクロチップ外部に対して開放させることができるため、封止層の剥離操作を別途行なう必要をなくすことができる。
【００８０】
液体試薬内蔵型マイクロチップ１８００は、その封止層１８００ｂの切り欠き部が包材１０００の開封用切れ込み１００３側に配置されるように、包材１０００内に収容されることが好ましい。
【００８１】
＜第６の実施形態＞
図１８は、本実施形態に係る液体試薬内蔵型マイクロチップを示す概略断面図であり、試薬保持部２０１ａ周辺を拡大して示すものである。上記第１〜第４の実施形態においては、空気導入路（および空気導入用凹部）を封止する封止手段として、空気導入路（および空気導入用凹部）を覆うように第１の基板外表面上に積層される封止層が用いられているが、封止手段はこれに限定されるものでなく、本実施形態のような封止手段を用いてもよい。
【００８２】
本実施形態に係る液体試薬内蔵型マイクロチップは、試薬保持部２０１ａ上に設けられた封止手段１９０２を有する。封止手段１９０２は第１の基板１と一体成形されており、薄肉部１９０１によって第１の基板１と連結されている。マイクロチップ使用時に封止手段１９０２の爪１９０３を図示される矢印の向きに傾けると、薄肉部１９０１が切断され、封止手段１９０２が脱離するので、試薬保持部２０１ａ上に開口が形成される。これにより、試薬排出路からの液体試薬の排出に伴って当該開口から空気が補充されるので、良好に試薬保持部から液体試薬を排出させることができる。このような開口の一時的な蓋として機能する封止手段１９０２は、図１９に示されるように、試薬保持部２０１ａに流路１９０４を介して接続されている廃液溜め部１９０５上や、廃液溜め部および試薬保持部以外の他の部位上に設けてもよい。
【符号の説明】
【００８３】
１，１’  第１の基板、２  第２の基板、３  第３の基板、１０，１１  領域、２０，３０，４０，５０，６０  貫通穴、１００，６００，８００，１１００，１６００，１８００  液体試薬内蔵型マイクロチップ、１００ａ，６００ａ  マイクロチップ本体、１００ｂ，６００ｂ，８００ｂ，１１００ｂ，１６００ｂ，１８００ｂ  封止層、１０１ａ，６０１ａ  空気導入路、１０２ａ，６０２ａ  空気導入用凹部、１０３ａ  試薬注入口、１０５  検体導入口、２０１ａ，２１１ａ  試薬保持部、２０２ａ，２１２ａ  試薬排出路、３０１ａ，３１１ａ  試薬計量部、４０１  検体計量部、５０１  分離部、６０１ａ−１  第１路、６０１ａ−２  第２路、６５１  検出部、７０１，７１０  廃液溜め部、８０１ｂ，１１０１ｂ  切れ込み、８５１  収容部、９００，９１０  混合部、１０００  包材、１００１，１００２  ヒートシール部、１００３  開封用切れ込み、１４００，１５００，１７００  包材入り液体試薬内蔵型マイクロチップ、１４０１  粘着剤、１６０１ｂ  伸長部、１９０１  薄肉部、１９０２  封止手段、１９０３  封止手段の爪、１９０４  流路、１９０５  廃液溜め部。
【図１】
0005912582.tif 000002
【図２】
0005912582.tif 000003
【図３】
0005912582.tif 000004
【図４】
0005912582.tif 000005
【図５】
0005912582.tif 000006
【図６】
0005912582.tif 000007
【図７】
0005912582.tif 000008
【図８】
0005912582.tif 000009
【図９】
0005912582.tif 000010
【図１０】
0005912582.tif 000011
【図１１】
0005912582.tif 000012
【図１２】
0005912582.tif 000013
【図１３】
0005912582.tif 000014
【図１４】
0005912582.tif 000015
【図１５】
0005912582.tif 000016
【図１６】
0005912582.tif 000017
【図１７】
0005912582.tif 000018
【図１８】
0005912582.tif 000019
【図１９】
0005912582.tif 000020